(57)【要約】【課題】本発明の課題は、着雪を防止可能な装置とこれを備える太陽電池照明灯を提供することである。【解決手段】本発明の着雪防止装置及びこれを備える太陽電池照明灯は、降雪時に吹く風を受けて回転する風車に伴って回転しながら、太陽電池又はその上の透明カバーの面を掃くスイーパ片を有する着雪防止装置とこれを備える太陽電池照明灯を特徴とする。【選択図】図１
2013105552.tif 000002
【特許請求の範囲】
【請求項１】
太陽電池照明灯に取り付ける固定具を有する固定ガイドと、前記太陽電池の上面又は、その上にある透明カバーを回転により掃き着雪を防止するためのハケと、前記回転をさせるために前記ハケと連動する風車羽とを有する回転ハケ部とが、回転結合していることを特徴とする着雪防止装置。
【請求項２】
前記ハケが雪を吹き飛ばす方向には、前記固定ガイドが遮蔽壁にならないように外部に開いた形状にするか、又は前記ハケを前記固定ガイドより下に配置することを特徴とする請求項１記載の着雪防止装置。
【請求項３】
前記ハケが、太陽光に対して透明な線で構成されることを特徴とする請求項１又は請求項２記載の着雪防止装置。
【請求項４】
前記ハケが、１本の線で構成されることを特徴とする請求項１から請求項３のいずれか一つに記載の着雪防止装置。
【請求項５】
前記ハケとして、凍結を防止するための第一の加熱用電気抵抗体を備えたことを特徴とする請求項１から請求項４のいずれか一つに記載の着雪防止装置。
【請求項６】
前記回転結合する回転結合部には、凍結を防止するための第二の加熱用電気抵抗体又は／及び水の浸入を防ぐカバーを備えたことを特徴とする請求項１から請求項５のいずれか一つに記載の着雪防止装置。
【請求項７】
前記ハケが、前記風車羽とともに回転し、前記ハケを把持する回転支持体に脱着自在に付設し、交換を容易にしたことを特徴とする請求項１から請求項６のいずれか一つに記載の着雪防止装置。
【請求項８】
請求項１から請求項７のいずれか一つに記載の着雪防止装置を備えたことを特徴とする太陽電池照明灯。

【発明の詳細な説明】
【技術分野】
【０００１】
本発明は、太陽電池照明灯の太陽電池の上に雪が積もらないようにする着雪防止装置とこれを備える太陽電池照明灯に関するものである。
【背景技術】
【０００２】
従来の太陽電池照明灯は、例えば庭園灯を例に取ると本願図3の３−Ａに示すものや、特許文献１に示されるように、太陽電池が水平に配置されていて、冬季に雪がその上に積もり、太陽光が太陽電池に届かなくなって発電量が極端に小さくなることが問題であった。
このような状況では、降雪のある場所ではこの庭園等は使えない状態であった。
多少、斜めに配置した太陽電池においても、着雪がある限り状況は同じことが言えた。
【先行技術文献】
【特許文献】
【０００３】
【特許文献１】特開２００７−２１６５１６
【発明の概要】
【発明が解決しようとする課題】
【０００４】
本発明の課題は、着雪を防止可能な装置とこれを備える太陽電池照明灯を提供することである。
【課題を解決するための手段】
【０００５】
本発明の着雪防止装置及びこれを備える太陽電池照明灯は、降雪時に吹く風を受けて回転する風車に伴って回転しながら、太陽電池又はその上の透明カバーの面を掃くスイーパ片を有する着雪防止装置とこれを備える太陽電池照明灯を特徴とする。
以下、請求項に沿って説明する。
【０００６】
請求項１記載の発明は、着雪防止装置であって、太陽電池照明灯に取り付ける固定具を有する固定ガイドと、前記太陽電池の上面又は、その上にある透明カバーを回転により掃き着雪を防止するためのハケと、前記回転をさせるために前記ハケと連動する風車羽とを有する回転ハケ部とが、回転結合していることを特徴とする。
【０００７】
請求項２記載の発明は、請求項１記載の着雪防止装置において、前記ハケが雪を吹き飛ばす方向には、前記固定ガイドが遮蔽壁にならないように外部に開いた形状にするか、又は前記ハケを前記固定ガイドより下に配置することを特徴とする。
【０００８】
請求項３記載の発明は、請求項１又は請求項２記載の着雪防止装置において、前記ハケが、太陽光に対して透明な線で構成されることを特徴とする。
【０００９】
請求項４記載の発明は、請求項１から請求項３のいずれか一つに記載の着雪防止装置において、前記ハケが、１本の線で構成されることを特徴とする。
【００１０】
請求項５記載の発明は、請求項１から請求項４のいずれか一つに記載の着雪防止装置において、前記ハケとして、凍結を防止するための第一の加熱用電気抵抗体を備えたことを特徴とする。
【００１１】
請求項６記載の発明は、請求項１から請求項５のいずれか一つに記載の着雪防止装置において。前記回転結合する回転結合部には、凍結を防止するための第二の加熱用電気抵抗体又は／及び水の浸入を防ぐカバーを備えたことを特徴とする。
【００１２】
請求項７記載の発明は、請求項１から請求項６のいずれか一つに記載の着雪防止装置において、前記ハケが、前記風車羽とともに回転し、前記ハケを把持する回転支持体に脱着自在に付設し、交換を容易にしたことを特徴とする。
【００１３】
請求項８記載の発明は、太陽電池照明灯であって、請求項１から請求項７のいずれか一つに記載の着雪防止装置を備えたことを特徴とする。
【発明の効果】
【００１４】
以上の様に構成されているので、本発明の着雪防止装置及びこれを備える太陽電池照明灯は、降雪があっても太陽電池又はその上の透明カバーの面をスイーパ片が掃くので、雪は吹き飛ばされて着雪ができない。また、埃なども同時に付着しない効果もあって、太陽光が太陽電池に有効に届き、発電量の低下を防止できる。
【図面の簡単な説明】
【００１５】
【図１】本発明による着雪防止装置の一実施態様を示す図である。
【図２】本発明による着雪防止装置に備えるカバーとこれを付設した着雪防止装置の一実施態様を示す図である。
【図３】太陽電池照明灯と本発明による着雪防止装置に備えた太陽電池照明灯の一実施態様を示す図である。
【図４】本発明による着雪防止装置の別の実施態様を示す図である。
【発明を実施するための形態】
【００１６】
本発明による降雪時に吹く風を受けて回転する風車に伴って回転しながら、太陽電池又はその上の透明カバーの面を掃くスイーパ片を有する着雪防止装置とこれを備える太陽電池照明灯を特徴とする。
以下、実施例を用い説明する。
【００１７】
図３は、太陽電池照明灯と本発明による着雪防止装置に備えた太陽電池照明灯の一実施態様を示す図である。
３−Ａにおいて、太陽電池照明灯は、形状の多少の差があっても、水平に保持された太陽電池部３１０、それを支え、発光ダイオード等の光源を有する照明灯部３２０、これを支え地面に立設するための柱部３３０を有している。更に、太陽電池部３１０は、太陽電池３１１とその保持枠３１２を有している。太陽電池３１１による発電された電気は、照明灯部３２０を駆動するために図示されない電気回路に供給されている。ここで、一般には、太陽電池３１１とその保持枠３１２は、水平に置かれる。照明灯部３２０は、四角柱形状のものもあるが、全方向に一様に配光するためもあって、四角柱よりはむしろ円柱状の形状をしている方が好ましい。水平に置かれていたり小さな傾斜で置かれた太陽電池３１１とその保持枠３１２には積雪地方の冬季には積雪ができて、太陽電池３１１の発電量が激減している。太陽電池３１１及びその保持枠３１２は、その特徴から平坦である。このことから積雪しやすい特徴もあるが、着雪間際の雪の塊は、軽く飛びやすいため、着雪時の雪を掃き飛ばすことには容易であり、且つ、また、液体である水に変わりやすい特徴を有する。従って、特に雪の降る冬季に吹きやすい風は強いが、風の小さなエネルギーで着雪を防止することが可能となる。例えば、一旦を固定したシート状のプラスチック片が風によりプルプル振動しているとすると、これには着雪がしにくいと同時に近傍にも着雪がしにくい。
【００１８】
図１は、本発明による着雪防止装置の一実施態様を示す図である。
簡単な構成ながら着雪を防止できる。以下説明する。
１−Ａには、着雪防止装置の斜視図、１−Ｂには横から見た立面図を示す。１−Ａの着雪防止装置は、１−Ｄに示す固定ガイド１１０と１−Ｃに示す風により回転する回転ハケ部１２０の二つに分けられる。固定ガイド１１０は、第一のリング状枠１１１の側面に円周に沿ってガイド溝又は突起１１２が有る。固定ガイド１１０の下部には、照明灯に固定するためのネジ等を有する固定具１１３がある。回転ハケ部１２０は、第二のリング状枠１２１の内側面に円周に沿ってガイド突起又は溝１２２があり、ガイド突起又は溝１２２がガイド溝又は突起１１２に嵌った回転結合部により回転自在に保持されている。第二のリング状枠１２１の外側面に風を受けて回転するための風車羽１２３がある。第二のリング状枠１２１の上側から着雪防止用ハケ１２４が図のように備えられ、着雪防止用ハケ１２４は、照明灯に設置された場合には、太陽電池の表面又は保護ガラスの面の上に位置するようになる。
固定ガイド１１０と回転ハケ部１２０が一体になった構成が１−Ａに示されるが、風車羽１２３が風を受けて、回転ハケ部１２０が回転し、太陽電池の表面又は保護ガラスの面の上で着雪防止用ハケ１２４が回転し、雪を飛ばして付着を防止する。回転ハケ部１２０は、
固定ガイド１１０や、第二のリング状枠１２１より下になる位置にあるため、飛ばされた雪は、これらに当たらずに外部にはじき出される。又は、固定ガイド１１０を外に向かって開いた状態にすることでも可能である。
着雪防止用ハケ１２４は、太陽電池に光が当たることを妨げないものが望ましいので、複数の繊維が縦に並んだ所謂ハケよりもむしろ１本の細い線状のもの、更に太陽光に対して透明な材質でできたものが望ましい。また、雪や水がつきにくいように撥水材を被覆したもの、ハケの交換が容易なようにハケ先端部１２５のハケ支持体１２６への脱着を容易にする或いは、ハケ先端部１２５の付いたハケ支持体１２６ごと脱着を容易にする手段を備えることが望ましい。１−Ｅには、着雪防止用ハケ１２４として加熱用電気抵抗体１２７を備えたものを示す。気温を検出して雪になる可能性のある温度で第一の加熱用電気抵抗体１２７に電流を流すことで、着雪防止用ハケ１２４への着雪を防止できる。これは、着雪により回転前に凍結して動かなくなり可能性がある場合には有効である。同様に、回転結合部は、第二の加熱用電気抵抗体や水分の浸入を防止するように構成することが望ましい。
【００１９】
図２は、本発明による着雪防止装置に備えるカバーとこれを付設した着雪防止装置の一実施態様を示す図である。
図１の着雪防止装置をそのまま設置してもよいが、回転するものに直接人が触れることを
良しとしない場合は、カバーを付けることができる。２−Ａにおいて、カバー２００は、円形蛍光灯照明のかさ状の形状をしていて、細い線又は細巾の板で作った複数の輪２０１を所望の間隔だけ離して積層し、各輪２０１を棒状の支持具２０２で固定した構造をしている。これに１−Ｄに示す固定ガイド１１０に付設する図示されない固定具を有している。２−Ｂには、１−Ａの着雪防止装置にカバー２００を取り付けた状態を示している。
【００２０】
図３は、太陽電池照明灯と本発明による着雪防止装置に備えた太陽電池照明灯の一実施態様を示す図である。
３−Ａの太陽電池照明灯に２−Ｂのカバー２００付着雪防止装置を取り付けた状態を示す。カバー２００の隙間から風が入って、着雪防止用ハケ１２４が回転し着雪を防止する。
【００２１】
図４は、本発明による着雪防止装置の別の実施態様を示す図である。
照明灯に付設する固定ガイド４００の上面の中心に回転結合部４０１があって、ここに回転自在に回転軸４０２があり、回転軸４０２の下側にはハケ部４０３とこれに付いた風車羽４０４を有するものである。固定ガイド４００の内側でハケ部４０３が回転して着雪を防止できる。尚、固定ガイド４００は、カバー２００の役割も行うので特にカバーは不要となる。
【産業上の利用可能性】
【００２２】
以上のように本発明に係る着雪防止装置及びこれを備える太陽電池照明灯は、降雪地域において太陽電池への着雪を防止できるので有効に光が当たり発電量の低下を防止できるので産業上利用性が極めて大きい。
【符号の説明】
【００２３】
１１０  固定ガイド
１１１  第一のリング状枠
１１２  ガイド溝又は突起
１１３  固定具
１２０  回転ハケ部
１２１  第二のリング状枠
１２２  ガイド突起又は溝
１２３  風車羽
１２４  着雪防止用ハケ
１２５  ハケ先端部
１２６  ハケ支持体
２００  カバー
２０１  輪
２０２  棒状の支持具
３１０  太陽電池部
３１１  太陽電池
３１２  保持枠
３２０  照明灯部
３３０  柱部
４００  固定ガイド
４０１  回転結合部
４０２  回転軸
４０３  ハケ部
４０４  風車羽
【図１】
2013105552.tif 000003
【図２】
2013105552.tif 000004
【図３】
2013105552.tif 000005
【図４】
2013105552.tif 000006